(57)【要約】【課題】Ａ接点入力センサ、Ｂ接点入力センサ、非常押し釦のいずれにも対応可能な入力回路を備える警報受信機及び警報システムを提供する。【解決手段】本発明に係わる警報受信機は、端末としてＡ接点入力センサ、Ｂ接点入力センサ、又は非常押し釦を接続したときの状態信号と、前記各端末と接続したそれぞれの入力回路１２から出力される状態信号とを比較し、状態信号に変化が生じた場合には、その端末の回線について警報と判定するようにした。【選択図】図１
2008242659.tif 000002
【特許請求の範囲】
【請求項１】
終端抵抗が接続された第１回線を平常時に切り離し非常時に自動操作により短絡させるＡ接点入力センサ、及び第２回線を平常時に切り離し非常時に手動操作により短絡させる非常押し釦が接続可能に構成され、且つ接続された回線の電圧変化に対応した状態信号を出力する複数の入力回路と、平常時に前記Ａ接点入力センサ及び前記非常押し釦を接続したときの状態信号を記憶する記憶部と、前記入力回路から出力された状態信号と前記記憶部に記憶された状態信号とに基づいて警報又は非警報を判定する判定部とを備える警報受信機であって、
前記入力回路は、
前記第１又は第２回線の一方に接地電圧を供給する低圧側入力端子と、
前記第１又は第２回線の他方に抵抗を介して電源電圧を供給する高圧側入力端子と、
前記Ａ接点入力センサと接続する前記第１回線の平常時の電圧値及び前記非常押し釦と接続する前記第２回線の平常時の電圧値に対して設定された基準電圧が一方の端子に入力され、前記第１又は第２回線と接続する前記高圧側入力端子の電圧値が他方の端子に入力され、前記基準電圧に対して前記高圧側入力端子の電圧値が大きいときは第１状態信号、小さいときは第２状態信号をそれぞれ出力する比較回路とを備え、
前記判定部は、
平常時に前記Ａ接点入力センサを接続したときの状態信号が前記第１状態信号であるとき、警戒時に前記Ａ接点入力センサと接続する前記入力回路の前記比較回路から前記第２状態信号が出力された場合は警報と判定し、他方、平常時に前記非常押し釦を接続したときの状態信号が前記第１状態信号であるとき、警戒時に前記非常押し釦と接続する前記入力回路の前記比較回路から前記第２状態信号が出力された場合は警報と判定すること、
を特徴とする警報受信機。
【請求項２】
終端抵抗が接続された第１回線を平常時に切り離し非常時に自動操作により短絡させるＡ接点入力センサ、及び第３回線を平常時に短絡させ非常時に自動操作により切り離すＢ接点入力センサが接続可能に構成され、且つ接続された回線の電圧変化に対応した状態信号を出力する複数の入力回路と、平常時に前記Ａ接点入力センサ及び前記Ｂ接点入力センサを接続したときの状態信号を記憶する記憶部と、前記入力回路から出力された状態信号と前記記憶部に記憶された状態信号とに基づいて警報又は非警報を判定する判定部とを備える警報受信機であって、
前記入力回路は、
前記第１又は第３回線の一方に接地電圧を供給する低圧側入力端子と、
前記第１又は第３回線の他方に抵抗を介して電源電圧を供給する高圧側入力端子と、
前記Ａ接点入力センサと接続する前記第１回線の平常時の電圧値及び前記Ｂ接点入力センサと接続する前記第３回線の平常時の電圧値に対して設定された基準電圧が一方の端子に入力され、前記第１又は第３回線と接続する前記高圧側入力端子の電圧値が他方の端子に入力され、前記基準電圧に対して前記高圧側入力端子の電圧値が大きいときは第１状態信号、小さいときは第２状態信号をそれぞれ出力する比較回路とを備え、
前記判定部は、
平常時に前記Ａ接点入力センサを接続したときの状態信号が前記第１状態信号であるとき、警戒時に前記Ａ接点入力センサと接続する前記入力回路の前記比較回路から前記第２状態信号が出力された場合は警報と判定し、他方、平常時に前記Ｂ接点入力センサを接続したときの状態信号が前記第２状態信号であるときに、警戒時に前記Ｂ接点入力センサと接続する前記入力回路の前記比較回路から前記第１状態信号が出力された場合は警報と判定すること、
を特徴とする警報受信機。
【請求項３】
終端抵抗が接続された第１回線を平常時に切り離し非常時に自動操作により短絡させるＡ接点入力センサ、第２回線を平常時に切り離し非常時に手動操作により短絡させる非常押し釦、及び第３回線を平常時に短絡させ非常時に自動操作により切り離すＢ接点入力センサが接続可能に構成され、且つ接続された回線の電圧変化に対応した状態信号を出力する複数の入力回路と、平常時に前記Ａ接点入力センサ、Ｂ接点入力センサ、及び前記非常押し釦を接続したときの状態信号を記憶する記憶部と、前記入力回路から出力された状態信号と前記記憶部に記憶された状態信号とに基づいて警報又は非警報を判定する判定部とを備える警報受信機であって、
前記入力回路は、
前記第１、第２、又は第３回線の一方に接地電圧を供給する低圧側入力端子と、
前記第１、第２、又は第３回線の他方に抵抗を介して電源電圧を供給する高圧側入力端子と、
前記Ａ接点入力センサと接続する前記第１回線の平常時の電圧値及び前記非常押し釦と接続する前記第２回線の平常時の電圧値に対して設定された第１基準電圧が一方の端子に入力され、前記第１、第２、又は第３回線と接続する前記高圧側入力端子の電圧値が他方の端子に入力され、前記第１基準電圧に対して前記高圧側入力端子の電圧値が大きいときは第１状態信号、小さいときは第２状態信号をそれぞれ出力する第１比較回路と、
前記Ａ接点入力センサと接続する前記第１回線の平常時の電圧値及び前記Ｂ接点入力センサと接続する前記第３回線の平常時の電圧値に対して設定された第２基準電圧が一方の端子に入力され、前記第１、第２、又は第３回線と接続する前記高圧側入力端子の電圧値が他方の端子に入力され、前記第２基準電圧に対して前記高圧側入力端子の電圧値が大きいときは第１状態信号、小さいときは第２状態信号をそれぞれ出力する第２比較回路とを備え、
前記判定部は、
平常時に前記Ａ接点入力センサを接続したときの状態信号が前記第２比較回路から出力された前記第１状態信号であるとき、警戒時に前記Ａ接点入力センサと接続する前記入力回路の前記第２比較回路から前記第２状態信号が出力された場合は警報と判定し、他方、平常時に前記Ｂ接点入力センサを接続したときの状態信号が前記第１又は第２比較回路から出力された前記第２状態信号であるとき、警戒時に前記Ｂ接点入力センサと接続する前記入力回路の前記第１比較回路から前記第１状態信号が出力された場合は警報と判定し、更に、平常時に前記非常押し釦を接続したときの状態信号が前記第１又は第２比較回路から出力された前記第１状態信号であるとき、警戒時に前記非常押し釦と接続する前記入力回路の前記第２比較回路から前記第２状態信号が出力された場合は警報と判定すること、
を特徴とする警報受信機。
【請求項４】
終端抵抗が接続された第１回線を平常時に切り離し非常時に自動操作により短絡させるＡ接点入力センサ、第２回線を平常時に切り離し非常時に手動操作により短絡させる非常押し釦、及び第３回線を平常時に短絡させ非常時に自動操作により切り離すＢ接点入力センサが接続可能に構成され、且つ接続された回線の電圧変化に対応した状態信号を出力する複数の入力回路と、平常時に前記Ａ接点入力センサ、Ｂ接点入力センサ、及び前記非常押し釦を接続したときの状態信号を記憶する記憶部と、前記入力回路から出力された状態信号と前記記憶部に記憶された状態信号とに基づいて警報又は非警報を判定する判定部とを備える警報受信機と、
前記入力回路に接続された、前記Ａ接点入力センサ、前記Ｂ接点入力センサ、及び前記非常押し釦の少なくとも１つとを備える警報システムであって、
前記警報受信機の入力回路は、
前記第１、第２、又は第３回線の一方に接地電圧を供給する低圧側入力端子と、
前記第１、第２、又は第３回線の他方に抵抗を介して電源電圧を供給する高圧側入力端子と、
前記Ａ接点入力センサと接続する前記第１回線の平常時の電圧値及び前記非常押し釦と接続する前記第２回線の平常時の電圧値に対して設定された第１基準電圧が一方の端子に入力され、前記第１、第２、又は第３回線と接続する前記高圧側入力端子の電圧値が他方の端子に入力され、前記第１基準電圧に対して前記高圧側入力端子の電圧値が大きいときは第１状態信号、小さいときは第２状態信号をそれぞれ出力する第１比較回路と、
前記Ａ接点入力センサと接続する前記第１回線の平常時の電圧値及び前記Ｂ接点入力センサと接続する前記第３回線の平常時の電圧値に対して設定された第２基準電圧が一方の端子に入力され、前記第１、第２、又は第３回線と接続する前記高圧側入力端子の電圧値が他方の端子に入力され、前記第２基準電圧に対して前記高圧側入力端子の電圧値が大きいときは第１状態信号、小さいときは第２状態信号をそれぞれ出力する第２比較回路とを備え、
前記判定部は、
平常時に前記Ａ接点入力センサを接続したときの状態信号が前記第２比較回路から出力された前記第１状態信号であるとき、警戒時に前記Ａ接点入力センサと接続する前記入力回路の前記第２比較回路から前記第２状態信号が出力された場合は警報と判定し、他方、平常時に前記Ｂ接点入力センサを接続したときの状態信号が前記第１又は第２比較回路から出力された前記第２状態信号であるとき、警戒時に前記Ｂ接点入力センサと接続する前記入力回路の前記第１比較回路から前記第１状態信号が出力された場合は警報と判定し、更に、平常時に前記非常押し釦を接続したときの状態信号が前記第１又は第２比較回路から出力された前記第１状態信号であるときに、前記非常押し釦と接続する前記入力回路の前記第２比較回路から前記第２状態信号が出力された場合は警報と判定すること、
を特徴とする警報システム。
【発明の詳細な説明】
【技術分野】
【０００１】
本発明は、接続されるセンサの種類を判別する機能を備える警報受信機及び警報システムに関する。
【背景技術】
【０００２】
従来より、火災、爆発、異常温度及び流量の異常変化や、盗難、夜盗、泥棒または侵入者（以下、侵入者等という）を感知して、これらに対する警報を発する警報システムが知られている。
【０００３】
警報システムは、上記のような非常事態を感知する手段としてのセンサと、上記の事態を発見した人がそれを報知する際に使用する非常押し釦と、センサや非常押し釦からの信号を受信してベル又はランプなどを用いて警報を発する受信機とを備えるのが一般的である。
【０００４】
センサには、２つの電線を平常時（監視時）に切り離し、非常事態が発生した時に短絡させるＡ接点入力センサや、２つの電線を平常時に短絡させ非常事態が発生した時に切り離すＢ接点入力センサが含まれる。また、非常押し釦は、通常、２つの電線を平常時には切り離し、非常事態の発生を発見した人が手動で短絡させるものである。
【発明の開示】
【発明が解決しようとする課題】
【０００５】
しかしながら、Ａ接点入力センサ、Ｂ接点入力センサはそれぞれ回路構成や感知方法が異なるため、受信機内においてもそれぞれ異なる入力回路（ハードウェア）やソフトウェアを用意する必要があった。また、非常押し釦が押された場合、警戒状態であるか解除状態であるかを問わずに警報を発する必要があるため、Ａ接点入力センサやＢ接点入力センサとは異なる入力回路（ハードウェア）やソフトウェアを用意する必要があった。
【０００６】
本発明は、上記問題点を解決するために成されたものであり、その目的は、Ａ接点入力センサ、Ｂ接点入力センサ、非常押し釦のいずれにも対応する入力回路を備えた警報受信機及びこの警報受信機を備えた警報システムを提供することである。
【課題を解決するための手段】
【０００７】
請求項１に係わる発明は、終端抵抗が接続された第１回線を平常時に切り離し非常時に自動操作により短絡させるＡ接点入力センサ、及び第２回線を平常時に切り離し非常時に手動操作により短絡させる非常押し釦が接続可能に構成され、且つ接続された回線の電圧変化に対応した状態信号を出力する複数の入力回路と、平常時に前記Ａ接点入力センサ及び前記非常押し釦を接続したときの状態信号を記憶する記憶部と、前記入力回路から出力された状態信号と前記記憶部に記憶された状態信号とに基づいて警報又は非警報を判定する判定部とを備える警報受信機であって、前記入力回路は、前記第１又は第２回線の一方に接地電圧を供給する低圧側入力端子と、前記第１又は第２回線の他方に抵抗を介して電源電圧を供給する高圧側入力端子と、前記Ａ接点入力センサと接続する前記第１回線の平常時の電圧値及び前記非常押し釦と接続する前記第２回線の平常時の電圧値に対して設定された基準電圧が一方の端子に入力され、前記第１又は第２回線と接続する前記高圧側入力端子の電圧値が他方の端子に入力され、前記基準電圧に対して前記高圧側入力端子の電圧値が大きいときは第１状態信号、小さいときは第２状態信号をそれぞれ出力する比較回路とを備え、前記判定部は、平常時に前記Ａ接点入力センサを接続したときの状態信号が前記第１状態信号であるとき、警戒時に前記Ａ接点入力センサと接続する前記入力回路の前記比較回路から前記第２状態信号が出力された場合は警報と判定し、他方、平常時に前記非常押し釦を接続したときの状態信号が前記第１状態信号であるとき、警戒時に前記非常押し釦と接続する前記入力回路の前記比較回路から前記第２状態信号が出力された場合は警報と判定することを特徴とするものである。
【０００８】
請求項２に係わる発明は、終端抵抗が接続された第１回線を平常時に切り離し非常時に自動操作により短絡させるＡ接点入力センサ、及び第３回線を平常時に短絡させ非常時に自動操作により切り離すＢ接点入力センサが接続可能に構成され、且つ接続された回線の電圧変化に対応した状態信号を出力する複数の入力回路と、平常時に前記Ａ接点入力センサ及び前記Ｂ接点入力センサを接続したときの状態信号を記憶する記憶部と、前記入力回路から出力された状態信号と前記記憶部に記憶された状態信号とに基づいて警報又は非警報を判定する判定部とを備える警報受信機であって、前記入力回路は、前記第１又は第３回線の一方に接地電圧を供給する低圧側入力端子と、前記第１又は第３回線の他方に抵抗を介して電源電圧を供給する高圧側入力端子と、前記Ａ接点入力センサと接続する前記第１回線の平常時の電圧値及び前記Ｂ接点入力センサと接続する前記第３回線の平常時の電圧値に対して設定された基準電圧が一方の端子に入力され、前記第１又は第３回線と接続する前記高圧側入力端子の電圧値が他方の端子に入力され、前記基準電圧に対して前記高圧側入力端子の電圧値が大きいときは第１状態信号、小さいときは第２状態信号をそれぞれ出力する比較回路とを備え、前記判定部は、平常時に前記Ａ接点入力センサを接続したときの状態信号が前記第１状態信号であるとき、警戒時に前記Ａ接点入力センサと接続する前記入力回路の前記比較回路から前記第２状態信号が出力された場合は警報と判定し、他方、平常時に前記Ｂ接点入力センサを接続したときの状態信号が前記第２状態信号であるときに、警戒時に前記Ｂ接点入力センサと接続する前記入力回路の前記比較回路から前記第１状態信号が出力された場合は警報と判定することを特徴とするものである。
【０００９】
請求項３に係わる発明は、終端抵抗が接続された第１回線を平常時に切り離し非常時に自動操作により短絡させるＡ接点入力センサ、第２回線を平常時に切り離し非常時に手動操作により短絡させる非常押し釦、及び第３回線を平常時に短絡させ非常時に自動操作により切り離すＢ接点入力センサが接続可能に構成され、且つ接続された回線の電圧変化に対応した状態信号を出力する複数の入力回路と、平常時に前記Ａ接点入力センサ、Ｂ接点入力センサ、及び前記非常押し釦を接続したときの状態信号を記憶する記憶部と、前記入力回路から出力された状態信号と前記記憶部に記憶された状態信号とに基づいて警報又は非警報を判定する判定部とを備える警報受信機であって、前記入力回路は、前記第１、第２、又は第３回線の一方に接地電圧を供給する低圧側入力端子と、前記第１、第２、又は第３回線の他方に抵抗を介して電源電圧を供給する高圧側入力端子と、前記Ａ接点入力センサと接続する前記第１回線の平常時の電圧値及び前記非常押し釦と接続する前記第２回線の平常時の電圧値に対して設定された第１基準電圧が一方の端子に入力され、前記第１、第２、又は第３回線と接続する前記高圧側入力端子の電圧値が他方の端子に入力され、前記第１基準電圧に対して前記高圧側入力端子の電圧値が大きいときは第１状態信号、小さいときは第２状態信号をそれぞれ出力する第１比較回路と、前記Ａ接点入力センサと接続する前記第１回線の平常時の電圧値及び前記Ｂ接点入力センサと接続する前記第３回線の平常時の電圧値に対して設定された第２基準電圧が一方の端子に入力され、前記第１、第２、又は第３回線と接続する前記高圧側入力端子の電圧値が他方の端子に入力され、前記第２基準電圧に対して前記高圧側入力端子の電圧値が大きいときは第１状態信号、小さいときは第２状態信号をそれぞれ出力する第２比較回路とを備え、前記判定部は、平常時に前記Ａ接点入力センサを接続したときの状態信号が前記第２比較回路から出力された前記第１状態信号であるとき、警戒時に前記Ａ接点入力センサと接続する前記入力回路の前記第２比較回路から前記第２状態信号が出力された場合は警報と判定し、他方、平常時に前記Ｂ接点入力センサを接続したときの状態信号が前記第１又は第２比較回路から出力された前記第２状態信号であるとき、警戒時に前記Ｂ接点入力センサと接続する前記入力回路の前記第１比較回路から前記第１状態信号が出力された場合は警報と判定し、更に、平常時に前記非常押し釦を接続したときの状態信号が前記第１又は第２比較回路から出力された前記第１状態信号であるとき、警戒時に前記非常押し釦と接続する前記入力回路の前記第２比較回路から前記第２状態信号が出力された場合は警報と判定することを特徴とするものである。
【００１０】
請求項４に係わる発明は、終端抵抗が接続された第１回線を平常時に切り離し非常時に自動操作により短絡させるＡ接点入力センサ、第２回線を平常時に切り離し非常時に手動操作により短絡させる非常押し釦、及び第３回線を平常時に短絡させ非常時に自動操作により切り離すＢ接点入力センサが接続可能に構成され、且つ接続された回線の電圧変化に対応した状態信号を出力する複数の入力回路と、平常時に前記Ａ接点入力センサ、Ｂ接点入力センサ、及び前記非常押し釦を接続したときの状態信号を記憶する記憶部と、前記入力回路から出力された状態信号と前記記憶部に記憶された状態信号とに基づいて警報又は非警報を判定する判定部とを備える警報受信機と、前記入力回路に接続された、前記Ａ接点入力センサ、前記Ｂ接点入力センサ、及び前記非常押し釦の少なくとも１つとを備える警報システムであって、前記警報受信機の入力回路は、前記第１、第２、又は第３回線の一方に接地電圧を供給する低圧側入力端子と、前記第１、第２、又は第３回線の他方に抵抗を介して電源電圧を供給する高圧側入力端子と、前記Ａ接点入力センサと接続する前記第１回線の平常時の電圧値及び前記非常押し釦と接続する前記第２回線の平常時の電圧値に対して設定された第１基準電圧が一方の端子に入力され、前記第１、第２、又は第３回線と接続する前記高圧側入力端子の電圧値が他方の端子に入力され、前記第１基準電圧に対して前記高圧側入力端子の電圧値が大きいときは第１状態信号、小さいときは第２状態信号をそれぞれ出力する第１比較回路と、前記Ａ接点入力センサと接続する前記第１回線の平常時の電圧値及び前記Ｂ接点入力センサと接続する前記第３回線の平常時の電圧値に対して設定された第２基準電圧が一方の端子に入力され、前記第１、第２、又は第３回線と接続する前記高圧側入力端子の電圧値が他方の端子に入力され、前記第２基準電圧に対して前記高圧側入力端子の電圧値が大きいときは第１状態信号、小さいときは第２状態信号をそれぞれ出力する第２比較回路とを備え、前記判定部は、平常時に前記Ａ接点入力センサを接続したときの状態信号が前記第２比較回路から出力された前記第１状態信号であるとき、警戒時に前記Ａ接点入力センサと接続する前記入力回路の前記第２比較回路から前記第２状態信号が出力された場合は警報と判定し、他方、平常時に前記Ｂ接点入力センサを接続したときの状態信号が前記第１又は第２比較回路から出力された前記第２状態信号であるとき、警戒時に前記Ｂ接点入力センサと接続する前記入力回路の前記第１比較回路から前記第１状態信号が出力された場合は警報と判定し、更に、平常時に前記非常押し釦を接続したときの状態信号が前記第１又は第２比較回路から出力された前記第１状態信号であるときに、前記非常押し釦と接続する前記入力回路の前記第２比較回路から前記第２状態信号が出力された場合は警報と判定することを特徴とするものである。
【発明の効果】
【００１１】
本発明によれば、端末としてＡ接点入力センサ、Ｂ接点入力センサ、又は非常押し釦を接続したときの状態信号と、前記各端末が接続されたそれぞれの入力回路から出力される状態信号とを比較し、状態信号に変化が生じた場合には、その端末の回線について警報と判定するようにしたので、Ａ接点入力センサ、Ｂ接点入力センサ、非常押し釦のいずれについても、同一構成の入力回路により非常時の短絡又は切り離しを監視することができる。
【発明を実施するための最良の形態】
【００１２】
以下、本発明の好適な実施形態について説明する。本実施形態では、警報受信機の一例として、侵入者等を感知して警報を発する防犯受信機１１及び防犯システムについて説明する。ただし、本発明に係わる警報受信機及び警報システムは、防犯受信機１１及び防犯システムの他にも、火災、爆発、異常温度及び流量の異常変化などを感知して、これらに対する警報を発する各種の警報受信機及び警報システムに適用することができる。
【００１３】
まず図１を参照して、本実施形態に係わる防犯受信機及び防犯受信機に接続されるセンサ等を含む防犯システム全体の構成を説明する。なお、各図面の記載において同一部分には同一符号を付している。
【００１４】
図１に示す防犯システムは、侵入者等を感知するＡ接点入力センサ１３ａ，１３ｂ、及びＢ接点入力センサ１５ａ，１５ｂと、侵入者等を発見した人がそれを報知する際に使用する非常押し釦１６ａ，１６ｂと、これらセンサや非常押し釦から出力された信号を受信して音響（ベル）又は表示灯（ランプ）などを用いて警報を発する防犯受信機１１とを備える。本実施形態においては、これらＡ接点入力センサ１３ａ，１３ｂ、Ｂ接点入力センサ１５ａ，１５ｂ、非常押し釦１６ａ，１６ｂを総称して「端末」という。
【００１５】
Ａ接点入力センサ１３ａ，１３ｂは、２つの第１電線（第１回線）２１ａ，２１ｂを平常時に切り離し、非常事態が発生した時に自動操作により前記２つの第１電線を短絡させるものである。Ｂ接点入力センサ１５ａ，１５ｂは、２つの第３電線（第３回線）２２ａ，２２ｂを平常時に短絡させ、非常事態が発生した時に自動操作により前記２つの第３電線を切り離すものである。また、非常押し釦１６ａ，１６ｂは、２つの第２電線（第２回線）２３ａ，２３ｂを平常時に切り離し非常事態が発生したときに、例えば発見者が手動操作により前記２つの第２電線を短絡させるものである。
【００１６】
Ａ接点入力センサ１３ａ，１３ｂは、例えば、火災などで温度変化が生じた場合に自動的に接点を閉じる（短絡させる）ように構成されている。非常押し釦１６ａ，１６ｂは、火災などの発見者が手動操作により接点を閉じる（短絡させる）ように構成されている。更に、Ｂ接点入力センサ１５ａ，１５ｂは、例えば、アルミサッシの枠などに取り付けられる防犯スイッチに適用される。そして、平常時はアルミサッシが閉まっているため接点を閉じている（短絡している）が、侵入者等がアルミサッシを開けたり、スイッチを壊したり、電線を切断した場合に自動的に接点を開く（切り離す）ように構成されている。
【００１７】
一般に、防犯システムにおいては、センサを壊したり、電線を切断した場合にも感知する必要があるため、Ｂ接点方式のセンサが用いられる場合が多い。これらのセンサ及び非常押し釦として、スイッチ単体からなる場合の他に、電磁コイルを用いたリレースイッチを用いることもできる。
【００１８】
また、防犯システムの便宜上、複数のセンサをグループ化してグループごとに警戒を行なう場合がある。複数のＡ接点入力センサ１３ａ，１３ｂをグループ化する場合、全てのＡ接点入力センサ１３ａ，１３ｂを並列に接続して１つの回線とする。これにより、回線内のいずれかのＡ接点入力センサ１３ａ，１３ｂが閉じた場合において非常事態の発生を感知することができる。また、並列に接続された複数のＡ接点入力センサ１３ａ，１３ｂの終端には終端抵抗１４が並列に接続されている。このように終端抵抗１４を接続すると、回路内に微弱な電流が流れることになる。従って、第１電線２１ａ，２１ｂが何らかの原因により途中で切断された場合、終端抵抗１４による微弱な電流が流れなくなるため、電線の切断を検知することができる。
【００１９】
複数のＢ接点入力センサ１５ａ，１５ｂをグループ化する場合、全てのＢ接点入力センサ１５ａ，１５ｂを直列に接続して１つの回線とする。これにより、いずれかのＢ接点入力センサ１５ａ，１５ｂが開いた場合において非常事態の発生を感知することができる。
【００２０】
複数の非常押し釦１６ａ，１６ｂをグループ化する場合、全ての非常押し釦１６ａ，１６ｂを並列に接続して１つの回線とする。これにより、いずれかの非常押し釦１６ａ，１６ｂが閉じた場合において非常事態の発生を通報することができる。なお、非常押し釦１６ａ，１６ｂは、Ａ接点方式のスイッチの一種と考えることができるが、本実施形態においては、Ａ接点入力センサ１３ａ，１３ｂからなる回線と区別するために、非常押し釦１６ａ，１６ｂからなる回線の終端に終端抵抗１４を接続していない。
【００２１】
一方、防犯受信機１１は、Ａ接点入力センサ１３ａ，１３ｂと接続された入力回路１２Ａと、Ｂ接点入力センサ１５ａ，１５ｂと接続された入力回路１２Ｂと、非常押し釦１６ａ，１６ｂと接続された入力回路１２Ｃとを備える。これら入力回路１２Ａ〜１２Ｃは同一構成であり、どの入力回路にどの端末を接続してもよい。なお、本実施形態では、Ａ接点入力センサ１３ａ，１３ｂ、Ｂ接点入力センサ１５ａ，１５ｂ、及び非常押し釦１６ａ，１６ｂと接続するため、入力回路を３つ設けた例を示しているが、入力回路の数は２以下でもよいし、４つ以上あってもよい。
【００２２】
また、防犯受信機１１は、入力回路１２Ａ〜１２Ｃに接続された端末の種別や、その端末を接続したときの状態信号等のデータを記憶する記憶部４１と、警戒状態又は解除状態とするか、警報を発するか否か、警報を発する場合の警報の種類などを操作者が設定する際に使用する操作部４２と、警報を発する際にベルを鳴動させ、ランプを点灯させる警報部４３と、警戒時に入力回路１２Ａ〜１２Ｃから出力される状態信号に基づいて警報の要否を判定する判定部４４とを備える。
【００２３】
記憶部４１は、判定部４４により判定された端末の種別と、後述する状態信号とを対応付けて記憶する。操作者は操作部４２を操作することによって、Ａ接点入力センサ１３ａ，１３ｂ、Ｂ接点入力センサ１５ａ，１５ｂ、及び非常押し釦１６ａ，１６ｂについての各種設定を行なうことができる。設定された内容は記憶部４１に記憶される。具体的には、回線ごとに、警戒状態又は解除状態を設定し、警戒状態である場合に音響（ベル）を鳴動するか否か、表示灯（ランプ）を緑から赤に変更するか否かなどを設定することができる。なお、警戒の解除状態である場合は、各センサが作動しても警報部４３は警報を発しない。ただし、非常押し釦１６ａ，１６ｂが操作された場合は、人間が人為的に操作したものであるため、解除状態であっても、警報部４３は音響（ベル）を鳴動し、表示灯（ランプ）を点灯させて、警報を発する。更に、操作部４２を用いて、警報を自己保持するか否かを回線毎に設定することもできる。上記操作部４２による各種の設定や設定内容の記憶部４１への記憶は、防犯受信機１１内に設けられたマイクロコンピュータにより管理することができる。
【００２４】
判定部４４は、入力回路１２Ａ〜１２Ｃとそれぞれ接続され、後述する初期登録時において、入力回路１２Ａ〜１２Ｃに接続された端末の種別がＡ接点入力センサ１３ａ，１３ｂの電線２１ａ、Ｂ接点入力センサ１５ａ，１５ｂの電線２２ａ、及び非常押し釦１６ａ，１６ｂのいずれであるかを判定する。そして、入力回路ごとに、判定した端末の種別と、そのとき得られた状態信号とを対応付けて記憶部４１に記憶する。また、警戒時においては、入力回路１２Ａ〜１２Ｃから出力される状態信号と、記憶部４１に記憶している該当入力回路の状態信号とを比較することにより、警報（警報要）又は非警報を判定する。この判定において警報と判定した場合は、警報部４３に所定の信号を送り、ベルを鳴動させたりランプを点灯させる。
【００２５】
また判定部４４は、あらかじめ設定されたコンピュータプログラムに従って演算処理やデータの入出力等を実行するコンピュータ装置であり、例えば、中央演算ユニット（ＣＰＵ）、ランダムアクセスメモリ（ＲＡＭ）、リードオンリーメモリ（ＲＯＭ）、及び入出力インターフェース（Ｉ／Ｏインターフェース）を有するマイクロコンピュータにより構成することができる。ただし、判定部４４を複数のマイクロコンピュータにより構成することも可能であり、本実施形態で説明した制御の他にも複数の制御を実行する装置として構成してもよい。
【００２６】
次に、図２を参照して、図１の入力回路１２Ａ〜１２Ｃの回路構成について説明する。ここでは、入力回路１２Ａを例として説明する。
【００２７】
入力回路１２Ａは、接地電圧ＧＮＤを供給する低圧側入力端子３１ｂ（３２ｂ、３３ｂ）と、抵抗Ｒ１を介して電源電圧Ｖを供給する高圧側入力端子３１ａ（３２ａ，３３ａ）と、第１比較回路Ｃ１と、第２比較回路Ｃ２とを備える。第１比較回路Ｃ１及び第２比較回路Ｃ２は、それぞれ、２つの入力端子と１つの出力端子を備えたコンパレータ（比較器）により構成されている。
【００２８】
電源電圧Ｖと接地電圧ＧＮＤの間には抵抗Ｒ２及び抵抗Ｒ４が直列に接続され、抵抗Ｒ２と抵抗Ｒ４間の電圧が第１比較回路Ｃ１の一方の入力端子に入力されている。ここで、抵抗Ｒ２と抵抗Ｒ４間の電圧を「第１基準電圧」とする。第１比較回路Ｃ１の他方の入力端子は、抵抗Ｒ６を介して高圧側入力端子３１ａ（３２ａ，３３ａ）に接続されている。第１比較回路Ｃ１は、２つの入力端子に入力された電圧値を比較して電圧値の高低に応じた信号を出力する。すなわち、第１比較回路Ｃ１は、高圧側入力端子３１ａ（３２ａ，３３ａ）の電圧値が第１基準電圧よりも低いときには正極性の信号（出力電圧）を出力し、高いときには負極性の信号を出力する。従って、第１比較回路Ｃ１から出力される信号の極性を判別することによって、高圧側入力端子３１ａ（３２ａ，３３ａ）の電圧値が第１基準電圧よりも低いのか高いのかを特定することができる。以下、第１比較回路Ｃ１から出力される正極性の信号を「第１状態信号」、負極性の信号を「第２状態信号」とする。また、第１比較回路Ｃ１による判定結果を「第１判定」とする。従って、第１判定の判定結果は「高い」又は「低い」となる。
【００２９】
また、電源電圧Ｖと接地電圧ＧＮＤと間に抵抗Ｒ３及び抵抗Ｒ５が直列に接続され、抵抗Ｒ３と抵抗Ｒ５間の電圧が第２比較回路Ｃ２の一方の入力端子に入力されている。ここで、抵抗Ｒ３と抵抗Ｒ５間の電圧を「第２基準電圧」とする。第２比較回路Ｃ２の他方の入力端子は、抵抗Ｒ６を介して高圧側入力端子３１ａ（３２ａ，３３ａ）に接続されている。第２比較回路Ｃ２は、２つの入力端子に入力された電圧値を比較して電圧値の高低に応じた信号を出力する。すなわち、第２比較回路Ｃ２は、高圧側入力端子３１ａ（３２ａ，３３ａ）の電圧値が基準電圧となる第２基準電圧よりも低いときには正極性の信号（出力電圧）を出力し、高いときには負極性の信号を出力する。従って、第２比較回路Ｃ２から出力される信号の極性を特定することによって、高圧側入力端子３１ａ，３２ａ，３３ａの電圧値が第２基準電圧よりも低いのか高いのかを判別することができる。以下、第２比較回路Ｃ２から出力される正極性の信号を「第１状態信号」、負極性の信号を「第２状態信号」とする。また、第２比較回路Ｃ２による判定結果を「第２判定」とする。従って、第２判定の判定結果は「高い」又は「低い」となる。
【００３０】
次に、初期登録について説明する。
【００３１】
図３は、各入力回路１２Ａ〜１２Ｃの低圧側入力端子３１ｂ、３２ｂ、３３ｂと高圧側入力端子３１ａ，３２ａ，３３ａに、第１〜第３電線をそれぞれ接続した時の非常押し釦による電圧値ｖ３、Ａ接点入力センサによる電圧値ｖ１、Ｂ接点入力センサによる電圧値ｖ２、第１基準電圧、及び第２基準電圧の高低関係を示す説明図である。
【００３２】
図１に示したように、Ａ接点入力センサ１３ａ，１３ｂ及び非常押し釦１６ａ，１６ｂは、平常時にそれぞれ２つの電線が切り離されているが、Ａ接点入力センサ１３ａ，１３ｂには終端抵抗１４が並列接続され、非常押し釦１６ａ，１６ｂには接続されていない。このため、低圧側入力端子と高圧側入力端子との間にＡ接点入力センサ１３ａ，１３ｂを接続した場合は、終端抵抗１４に微小電流が流れるため、各比較回路の高圧側入力端子における電圧値はｖ１となる。他方、低圧側入力端子と高圧側入力端子との間に非常押し釦１６ａ，１６ｂを接続した場合、各比較回路の高圧側入力端子は無限大インピーダンスとなるため、各比較回路の高圧側入力端子における電圧値はｖ３となる。また、平常時に２つの電線が短絡しているＢ接点入力センサ１５ａ，１５ｂを接続した場合、各比較回路の高圧側入力端子における電圧値は接地電圧と同じｖ２となる。
【００３３】
そして、図３に示すように、第１基準電圧は、非常押し釦１６ａ，１６ｂによる電圧値ｖ３とＡ接点入力センサ１３ａ，１３ｂによる電圧値ｖ１との間の電圧値となるように設定され、第２基準電圧は、Ａ接点入力センサ１３ａ，１３ｂによる電圧値ｖ１とＢ接点入力センサ１５ａ，１５ｂによる電圧値ｖ２との間の電圧値となるように設定されている。
【００３４】
このため、初期登録時において、Ａ接点入力センサ１３ａ，１３ｂが入力回路１２Ａの低圧側入力端子３１ｂと高圧側入力端子３１ａに接続された場合、高圧側入力端子３１ａの電圧値が第１基準電圧よりも低く、且つ第２基準電圧よりも高くなる。従って、入力回路１２Ａの第１比較回路Ｃ１からは第２状態信号が出力され、第２比較回路Ｃ２からは第１状態信号が出力されることになる。
【００３５】
また、初期登録時において、Ｂ接点入力センサ１５ａ，１５ｂが低圧側入力端子３２ｂと高圧側入力端子３２ａに接続された場合、高圧側入力端子３２ａの電圧が第１基準電圧よりも低く、且つ第２基準電圧よりも低くなる。従って、入力回路１２Ｂの第１比較回路Ｃ１からは第２状態信号が出力され、第２比較回路Ｃ２からは第２状態信号が出力されることになる。
【００３６】
更に、非常押し釦１６ａ，１６ｂが低圧側入力端子３３ｂと高圧側入力端子３３ａに接続された場合、高圧側入力端子３３ａの電圧が第１基準電圧よりも高く、且つ第２基準電圧よりも高くなる。従って、入力回路１２Ｃの第１比較回路Ｃ１からは第１状態信号が出力され、第２比較回路Ｃ２からは第１状態信号が出力されることになる。
【００３７】
このように、各入力回路に接続した端末の種別に応じて、第１比較回路Ｃ１，第２比較回路Ｃ２からは異なる組み合わせの状態信号が出力されるので、判定部４４では、各入力回路から出力された状態信号の組み合わせを参照することにより、それぞれの回線に接続された端末の種別を判定することができる。
【００３８】
次に、判定部４４による端末種別の判定処理を、図４に示す判定表、及び図５に示すフローチャートに基づいて説明する。
【００３９】
まず判定部４４は、第１比較回路Ｃ１から出力された状態信号（第１状態信号又は第２状態信号、以下同様）の極性を特定し、第１判定の判定結果が低い又は高いのどちらであるかを判別する（ステップＳ１０１）。ここで、「低い」と判別した場合は、続いて第２比較回路Ｃ２から出力された状態信号の極性を特定し、判定結果が低い又は高いのどちらであるかを判別する（ステップＳ１０２）。ここで、「高い」と判別した場合は、Ａ接点入力センサ１３ａ，１３ｂが低圧側入力端子３１ｂと高圧側入力端子３１ａに接続されたと判定する（ステップＳ１０３）。一方、判定部４４は、ステップＳ１０２において「低い」と判別した場合は、Ｂ接点入力センサ１５ａ，１５ｂが低圧側入力端子３２ｂと高圧側入力端子３２ａに接続されたと判定する（ステップＳ１０４）。また、判定部４４はステップＳ１０１において「高い」と判別した場合は、続いて第２比較回路Ｃ２から出力された状態信号の極性を特定し、判定結果が低い又は高いのどちらであるかを判別する（ステップＳ１０５）。ここで、「高い」と判別した場合は、非常押し釦１６ａ，１６ｂが低圧側入力端子３３ｂと高圧側入力端子３３ａに接続されたと判定する（ステップＳ１０６）。
【００４０】
なお、ステップＳ１０１において「高い」と判別され、更にステップＳ１０５において「低い」と判別されることは、図４の判定表に示すように理論的に成立しない。しかしながら、比較回路や電線の不具合により上記のような判別がなされることが考えられる。このため本実施形態では、ステップＳ１０５において「低い」と判別された場合は、防犯システムに障害が発生したものと見なし、警報部４３において音響の鳴動や表示灯の点灯により管理者へ異常を知らせるなどの処理を実行するようにしている（ステップＳ１０７）。
【００４１】
このように、判定部４４は、各入力回路の低圧側入力端子及び高圧側入力端子に、いずれの端末が接続されたのかを、第１比較回路Ｃ１及び第２比較回路Ｃ２による判定結果（第１判定、第２判定）に基づいて判定することができる。
【００４２】
判定部４４は、各入力回路ごとに判定された端末の種別と、その判定結果とを対応付けて記憶部４１に記憶する。なお、警戒時において、Ａ接点入力センサ１３ａ，１３ｂのいずれかが短絡した場合は、各比較回路の高圧側入力端子の電圧値は接地電圧と同じｖ２となる。このため、第２判定が「高い」又は第１判定が「高い」のうち、いずれか一方の判定結果を記憶しておけばよいことになる。これにより、例えば、記憶部４１には、入力回路１２Ａにおいて、接続された端末の種別「Ａ接点入力センサ」、第２判定「低い」というデータを記憶する。ただし、第２判定「高い」、第１判定「高い」の両データを記憶しておき、警戒時には両比較回路から出力された判定結果を参照して警報又は非警報を判定するようにしてもよい。
【００４３】
また、Ｂ接点入力センサ１５ａ，１５ｂのいずれかが切り離されると、各比較回路の高圧側入力端子は無限大インピーダンスとなるため、第２判定が「低い」又は第１判定が「低い」のうち、いずれか一方の判定結果を記憶しておけばよいことになる。これにより、例えば、記憶部４１には、入力回路１２Ｂにおいて、接続された端末の種別「Ｂ接点入力センサ」、第２判定「低い」というデータを記憶する。ただし、第２判定「低い」、第１判定「低い」の両データを記憶しておき、警戒時には両比較回路から出力された判定結果を参照して警報又は非警報を判定するようにしてもよい。
【００４４】
更に、非常押し釦１６ａ，１６ｂのいずれかが短絡すると、各比較回路の高圧側入力端子の電圧値は接地電圧と同じｖ２となるため、第１判定が「高い」又は第２判定が「高い」のうち、いずれか一方の判定結果を記憶しておけばよいことになる。これにより、例えば、記憶部４１には、入力回路１２Ｃにおいて、接続された端末の種別「非常押し釦」、第１判定「高い」というデータを記憶する。ただし、第１判定「高い」、第２判定「高い」の両データを記憶しておき、警戒時には両比較回路から出力された判定結果を参照して警報又は非警報を判定するようにしてもよい。
【００４５】
次に、判定部４４による警戒時の処理について説明する。
【００４６】
判定部４４では、初期登録後に、各入力回路１２Ａ〜１２Ｃから出力される判定結果を監視して、記憶部４１に記憶されているデータに変化が生じた場合には、警報と判定する。すなわち、入力回路１２Ａから出力される判定結果のうち、第２判定が「高い」であれば、Ａ接点入力センサ１３ａ，１３ｂのいずれも短絡していないので、非警報と判定する。一方、第２判定が「低い」に変化した場合は、Ａ接点入力センサ１３ａ，１３ｂのいずれかが短絡したことになるので、警報と判定する。
【００４７】
また、入力回路１２Ｂから出力される判定結果のうち、第２判定が「低い」であれば、Ｂ接点入力センサ１５ａ，１５ｂのいずれも切り離されていないので、非警報と判定する。一方、第２判定が「高い」に変化した場合は、Ｂ接点入力センサ１５ａ，１５ｂのいずれかが切り離されたことになるので、警報と判定する。
【００４８】
更に、入力回路１２Ｃから出力される判定結果のうち、第１判定が「高い」であれば、非常押し釦１６ａ，１６ｂのいずれも短絡していないので、非警報と判定する。一方、第１判定が「低い」に変化した場合は、非常押し釦１６ａ，１６ｂのいずれかが短絡したことになるので、警報と判定する。
【００４９】
以上説明したように、本実施形態に係わる防犯システムによれば、以下の作用効果が得られる。
【００５０】
従来においては、Ａ接点入力センサ１３ａ〜１３ｄ、Ｂ接点入力センサ１５ａ〜１５ｄはそれぞれ回路構成や感知方法が異なるため、図６（ａ）に示すように、防犯受信機６１内においてそれぞれ異なるＡ接点入力回路６２及びＢ接点入力回路６３を用意する必要があった。また、非常押し釦１６ａ，１６ｂが押された場合は、警戒状態であるか解除状態であるかを問わずに警報を発する必要があるため、Ａ接点入力回路６２及びＢ接点入力回路６３とは異なる非常押し釦入力回路６４を用意する必要があった。
【００５１】
しかしながら、本実施形態では、図６（ｂ）に示すように、Ａ接点入力センサ１３ａ〜１３ｄ、Ｂ接点入力センサ１５ａ〜１５ｄ、及び非常押し釦１６ａ，１６ｂのいずれについても、同一構成の入力回路１２で対応することができる。これによれば、接続する端末の種別ごとに異なる入力回路やソフトウェアを用意する必要がなく、一種類の入力回路を用意すればよいので、機器価格を低減することができ、取扱上及び施工上の運用も容易なものとなる。また、設備変更の際に回線種別（Ａ接点入力センサ１３ａ〜１３ｄ、Ｂ接点入力センサ１５ａ〜１５ｄ、非常押し釦１６ａ，１６ｂ）を自由に設定することが可能となる。
【００５２】
（その他の実施形態）
上記実施形態では、入力回路１２が、第１比較回路Ｃ１及び第２比較回路Ｃ２の両方を備える場合について説明したが、いずれか一方のみであっても構わない。例えば、入力回路１２が第１比較回路Ｃ１のみを備える場合、判定部４４は、非常押し釦とＡ接点入力センサ、或いは非常押し釦とＢ接点入力センサとを判定することができる。また、入力回路１２が第２比較回路Ｃ２のみを備える場合、判定部４４は、Ｂ接点入力センサとＡ接点入力センサ、或いはＢ接点入力センサと非常押し釦とを判定することができる。
【００５３】
また、上記実施形態では、入力回路１２Ａ〜１２Ｃから出力される判定結果を一つの判定部４４で監視する例について示したが、各入力回路に判定部４４を設けた構成としてもよい。この場合、記憶部４１を共有としてもよいし、各入力回路に記憶部４１を設けるようにしてもよい。
【図面の簡単な説明】
【００５４】
【図１】本発明の実施形態に係わる防犯受信機及び防犯システム全体の構成を示すブロック図である。
【図２】入力回路の回路構成を示す回路図である。
【図３】各電圧値の高低関係を示す説明図である。
【図４】第１及び第２判定の結果と高圧側入力端子及び低圧側入力端子に接続された接点との関係を示す図（判定表）である。
【図５】判定部による端末種別の判定処理を示すフローチャートである。
【図６】（ａ）は従来技術に係わる防犯システムの構成を示すブロック図である。（ｂ）は実施形態に係わる防犯システムの構成を示すブロック図である。
【符号の説明】
【００５５】
１１  防犯受信機（警報受信機）
１２Ａ〜１２Ｃ  入力回路
１３ａ〜１３ｄ  Ａ接点入力センサ
１４、１４ａ，１４ｂ  終端抵抗
１５ａ〜１５ｄ  Ｂ接点入力センサ
１６ａ，１６ｂ  非常押し釦
２１ａ，２１ｂ  第１電線（第１回線）
２２ａ，２２ｂ  第３電線（第３回線）
２３ａ，２３ｂ  第２電線（第２回線）
３１ａ，３２ａ，３３ａ  高圧側入力端子
３１ｂ、３２ｂ、３３ｂ  低圧側入力端子
４１  記憶部
４２  操作部
４３  警報部
４４  判定部
Ｃ１  第１比較回路
Ｃ２  第２比較回路
Ｒ１〜Ｒ６  抵抗
【図１】
2008242659.tif 000003
【図２】
2008242659.tif 000004
【図３】
2008242659.tif 000005
【図４】
2008242659.tif 000006
【図５】
2008242659.tif 000007
【図６】
2008242659.tif 000008